(57)【要約】【課題】上下一体構造で成形された前面パネルをベースに前面側からねじ締め固定できるようにすると共に、この固定用のねじを前面飾り板で覆うようにしたシーリングウォール型の空気調和機を提供する。【解決手段】ベース１と、同ベース１に取り付けられた熱交換器２および送風ファンと、前記ベース１の前部に装着され、上面に吸込口を備え、下面に吹出口６を備えた前面パネル７と、同前面パネル７に設けられたガイド部９を備えた凹陥状の固定部１０と、前記ガイド部９に係脱可能に係止する係止部１１を備えた前面飾り板１２とからなり、この前面パネル１２を、前記固定部１０により前記ベース１に固定すると共に、前記前面飾り板１２により、前記ガイド部９に前記係止部１１を係止して前記固定部１０を覆うようにした。【選択図】  図２
2004225939.tif 000002
【特許請求の範囲】
【請求項１】
前部を開放したベースと、同ベースに取り付けられた熱交換器および送風ファンと、前記ベースの前部に装着され、上面に吸込グリルを有する吸込口を備え、下面に吹出口を備えた前面パネルと、同前面パネルに設けられたガイド部を備えた凹陥状の固定部と、前記ガイド部に係脱可能に係止する係止部を備えた前面飾り板とからなり、
前記前面パネルを、前記固定部により前記ベースに固定すると共に、前記前面飾り板により、前記ガイド部に前記係止部を係止して前記固定部を覆うようにしてなることを特徴とする空気調和機。
【請求項２】
前記固定部が、前記吹出口の上部に、同吹出口の左右幅と同一の幅寸法で形成されると共に、前記挿通孔および前記ねじ孔が夫々複数づつ設けられてなることを特徴とする請求項１に記載の空気調和機。
【請求項３】
前記ガイド部が、前記固定部に設けられたガイド溝および係止片とで構成される一方、前記係止部が、前記前面飾り板に設けられた前記ガイド溝に対応するガイドピンおよび前記係止片に対応する係止爪とで構成されてなり、前記ガイドピンを前記ガイド溝でガイドすると共に、前記係止爪を前記係止片に係脱可能に係止してなることを特徴とする請求項１に記載の空気調和機。
【請求項４】
前記ガイド溝および前記係止片と、これらに対応する前記ガイドピンおよび前記係止爪とが夫々複数づつ設けられてなることを特徴とする請求項３に記載の空気調和機。
【発明の詳細な説明】
【０００１】
【発明の属する技術分野】
本発明は、所謂シーリングウォール型の空気調和機に係わり、より詳細には、上下一体構造で成形された前面パネルをベースに前面側からねじ締め固定できるようにすると共に、この固定用のねじを前面飾り板で覆うようにした構造に関する。
【０００２】
【従来の技術】
高さ寸法を抑えた所謂シーリングウォール型の従来の空気調和機は、壁面に固着されたベースの前面上部に前面側から上部パネルを取付できるようにするとともに、同上部パネルに対し下部パネルを容易に着脱できるようにして、メンテナンス時の作業性を向上できるようにした壁掛け式の空気調和機を提供するため、上部パネルの前面部に設けられた挿通孔を挿通したねじを、ベースに連続形成された支持部に穿設されたねじ孔に螺着して、上部パネルをベースの前面側上部に取り付けるとともに、前後に延びる凸片およびこれに対応する凹溝からなる案内路により下部パネルを案内し、同下部パネル前端部の裏面に突設した係止爪を前記上部パネルのフランジに係止して、前記下部パネルを前記上部パネルに着脱可能に接合できるように構成されたものが開示されていた（例えば、特許文献１参照。）。
【０００３】
しかしながら、前記ベースの前部に取り付けられる所謂前面パネルは、合成樹脂製の成形品でなる前記上部パネルと前記下部パネルとで構成されていることから、部品コストおよび組立工数や樹脂材料の使用量などの低減をはかる上で、これら上部パネルおよび下部パネルの金型が二分割されていることがネックになっているため、上下一体構造でなる前面パネルとして形成されると共に、該前面パネルを前記ベースに前面側からのねじ締めによって固定できるようにし、且つこの固定用のねじを前面飾り板で覆うようにすることが望まれていた。
【０００４】
【特許文献１】
特開２００２−１０６８７９号公報（要約、第２図）
【０００５】
【発明が解決しようとする課題】
本発明は、上記問題点に鑑み、上下一体構造で成形された前面パネルをベースに前面側からねじ締め固定できるようにすると共に、この固定用のねじを前面飾り板で覆うようにしたシーリングウォール型の空気調和機を提供することを目的とする。
【０００６】
【課題を解決するための手段】
本発明は、上記課題を解決するため、前部を開放したベースと、同ベースに取り付けられた熱交換器および送風ファンと、前記ベースの前部に装着され、上面に吸込グリルを有する吸込口を備え、下面に吹出口を備えた前面パネルと、同前面パネルに設けられたガイド部を備えた凹陥状の固定部と、前記ガイド部に係脱可能に係止する係止部を備えた前面飾り板とからなり、
前記前面パネルを、前記固定部により前記ベースに固定すると共に、前記前面飾り板により、前記ガイド部に前記係止部を係止して前記固定部を覆うようにしてなる構成となっている。
【０００７】
また、前記固定部が、前記吹出口の上部に、同吹出口の左右幅と同一の幅寸法で形成されると共に、前記挿通孔および前記ねじ孔が夫々複数づつ設けられてなる構成となっている。
【０００８】
また、前記ガイド部が、前記固定部に設けられたガイド溝および係止片とで構成される一方、前記係止部が、前記前面飾り板に設けられた前記ガイド溝に対応するガイドピンおよび前記係止片に対応する係止爪とで構成されてなり、前記ガイドピンを前記ガイド溝でガイドすると共に、前記係止爪を前記係止片に係脱可能に係止してなる構成となっている。
【０００９】
また、前記ガイド溝および前記係止片と、これらに対応する前記ガイドピンおよび前記係止爪とが夫々複数づつ設けられてなる構成となっている。
【００１０】
【発明の実施の形態】
以下、本発明の実施の形態を図面に基づいた実施例として詳細に説明する。
図１は本発明による空気調和機の前面飾り板が係止される状態を示す断面図であり、図２は本発明による空気調和機の前面飾り板が係止される状態を示す要部断面図であり、図３は本発明による空気調和機の前面飾り板が係止された状態を示す断面図であり、図４は本発明による空気調和機の前面飾り板が係止された状態を示す要部断面図であり、図５は前面パネルに設けられた凹陥状の固定部を示す斜視図であり、図６は前面パネルに設けられた凹陥状の固定部を覆う前面飾り板の斜視図であり、図７は前面パネルに設けられた凹陥状の固定部を前面飾り板で覆った状態を示す斜視図である。
【００１１】
本発明による空気調和機は、図で示すように、前部を開放したベース１に、吸込口５を備え前端が低くなるように傾斜させた上部パネル７ａと、吹出口６を備え前部に行くにしたがって上方に湾曲するように形成された下部パネル７ｂとで構成されてなる前面パネル７が装着された構成になっている。
【００１２】
上記構成により、上下寸法を小型化した所謂シーリングウォール型の空気調和機として、被空調室の天井面に近接させて吊下げ設置または壁掛け設置できるようになり、前記吸込口５から室内空気を効率よく吸い込めると共に、前記下部パネル７ｂを湾曲形成したことにより、吹出空気を、被空調室を臨ませて大きく形成できるようにした前記吹出口６から効率よく吹き出せるようになっている。
【００１３】
前記吸込口５と前記吹出口６とを結ぶ空気通路には逆Ｖ字状に形成された熱交換器２と送風ファン３とが設けられ、前記吸込口５には吸込グリル４が着脱可能に装着された構成になっている。
【００１４】
前記前面パネル７は、前記上部パネル７ａと前記下部パネル７ｂとが一体成形されてなる構成であって、同下部パネル７ｂには、固定ねじを通すための挿通孔８とガイド部９とを備えると共に、横長状に形成された凹陥状の固定部１０が設けられている。
【００１５】
一方、前記ベース１には、前記挿通孔８に対応するねじ孔１３を備えたボス部が設けられた構成になっており、前記固定部１０に設けられた挿通孔８を通した固定用のねじを前記ベース１に設けられたねじ孔１３に螺着して、前記前面パネル７が、前記ベース１に対して前面側からねじ締め固定される構成になっている。
【００１６】
そして、前記前面パネル７が前記ベース１にねじ締め固定されたのち、前記固定部１０が、同固定部１０に着脱可能に装着される前面飾り板１２によって覆われることにより、前記挿通孔８を通して前記ねじ孔１３に螺着された前記固定用のねじが視認できないように隠蔽されるようになって、該個所の外観性を損ねてしまうということがなくなる。
【００１７】
むしろ、前記前面飾り板１２が、前記下部パネル７ｂの意匠性を高める上で効果的なアクセントになるように構成されており、そのため、図２および図４で示すように、前記固定部１０および前記前面飾り板１２の左右幅の寸法が、前記吹出口６の左右幅と同一の寸法になるように形成されている。
【００１８】
また、前記挿通孔８が、前記吹出口６の左右幅と同一の寸法に形成された前記固定部１０の左右位置に複数設けられる一方、前記ねじ孔１３が、前記挿通孔８に対応して前記ベース１に複数設けられているので、同ベース１に対して、前記前面パネル７を正確にねじ締め固定できるようになっている。
【００１９】
前記ガイド部９は、前記固定部１０に設けられたガイド溝１４および係止片１５とで構成される一方、前記係止部１１は、前記前面飾り板１２に設けられた前記ガイド溝１４に対応するガイドピン１６および前記係止片１５に対応する係止爪１７とで構成されてなり、前記ガイドピン１６を前記ガイド溝１４でガイドすると共に、前記係止爪１７を前記係止片１５に係脱可能に係止してなる構成となっている。
【００２０】
これにより、前記前面パネル７を前記ベース１にねじ締め固定したのち、前記固定部１０を前記前面飾り板１２によって覆う際、前記ガイドピン１６を前記ガイド溝１４でガイドすると共に、前記係止爪１７を前記係止片１５に係脱可能に係止することにより容易に、且つ正確に位置決めした状態で覆うことができる。
【００２１】
なお、前記ガイド溝１４および前記係止片１５と、これらに対応する前記ガイドピン１６および前記係止爪１７とが夫々複数づつ設けられているので、前記前面飾り板１２のガイドピン１６を円滑にガイドしながら、図１および図２の矢印Ａで示すように前記前面飾り板１２を回動し、図４で示すように、前記係止爪１７を前記係止片１５に係脱可能に係止することにより、前記固定部１０を正確に覆うことができるようになっている。
【００２２】
【発明の効果】
以上説明したように、本発明によれば、上下一体構造で成形された前面パネルをベースに前面側からねじ締め固定できるようにすると共に、この固定用のねじを前面飾り板で覆うようにしたシーリングウォール型の空気調和機となる。
【図面の簡単な説明】
【図１】本発明による空気調和機の前面飾り板が係止される状態を示す断面図である。
【図２】本発明による空気調和機の前面飾り板が係止される状態を示す要部断面図である。
【図３】本発明による空気調和機の前面飾り板が係止された状態を示す断面図である。
【図４】本発明による空気調和機の前面飾り板が係止された状態を示す要部断面図である。
【図５】前面パネルに設けられた凹陥状の固定部を示す斜視図である。
【図６】前面パネルに設けられた凹陥状の固定部を覆う前面飾り板の斜視図である。
【図７】前面パネルに設けられた凹陥状の固定部を前面飾り板で覆った状態を示す斜視図である。
【符号の説明】
１  ベース
２  熱交換器
３  送風ファン
４  吸込グリル
５  吸込口
６  吹出口
７  前面パネル
７ａ  上部パネル
７ｂ  下部パネル
８  挿通孔
９  ガイド部
１０  固定部
１１  係止部
１２  前面飾り板
１３  ねじ孔
１４  ガイド溝
１５  係止片
１６  ガイドピン
１７  係止爪
【図１】
2004225939.tif 000003
【図２】
2004225939.tif 000004
【図３】
2004225939.tif 000005
【図４】
2004225939.tif 000006
【図５】
2004225939.tif 000007
【図６】
2004225939.tif 000008
【図７】
2004225939.tif 000009